(57)【要約】【課題】ドレンポンプの防振ゴムで吸収しきれないドレンポンプの振動を、フロートスイッチへ伝達させないこと。【解決手段】室内ユニット本体内部に取付けられているドレンポンプ７と、ドレンポンプ７を取付るためのドレンポンプ取付板９と、ドレン水のオーバーフローを防止するためのフロートスイッチ１０と、フロートスイッチ１０を取付るためのフロートスイッチ取付板１１を備えた空気調和機において、フロートスイッチ取付板１１はドレンポンプ取付板９に取付られ、フロートスイッチ取付板取付部１３より下方に柔軟部を設ける。【選択図】図１
2006200808.tif 000002
【特許請求の範囲】
【請求項１】
室内ユニット本体内部に取付けられているドレンポンプと、ドレンポンプを取付るためのドレンポンプ取付板と、ドレン水のオーバーフローを防止するためのフロートスイッチと、フロートスイッチを取付るためのフロートスイッチ取付板を備えた空気調和機において、前記フロートスイッチ取付板はドレンポンプ取付板に取付られ、フロートスイッチ取付板取付部より下方に柔軟部を設けることを特徴とする天井埋め込み形空気調和機。
【請求項２】
フロートスイッチ取付板は、フロートスイッチ取付板取付部より下方にくびれ形状を設けることを特徴とする、請求項１に記載の天井埋め込み形空気調和機。
【請求項３】
フロートスイッチ取付板は、フロートスイッチ取付板取付部より下方に角穴を設けることを特徴とする、請求項１〜２のいずれかに記載の天井埋め込み形空気調和機。
【請求項４】
フロートスイッチ取付板のフロートスイッチ取付部は、振動抑制用の重りを設けることを特徴とする、請求項１に記載の天井埋め込み形空気調和機。
【請求項５】
フロートスイッチ取付板を取付るドレンポンプ取付板のフロートスイッチ取付板取付部に突起を設けることを特徴とする、請求項１に記載の天井埋め込み形空気調和機。
【発明の詳細な説明】
【技術分野】
【０００１】
本発明は天井埋め込み形空気調和機のドレンポンプおよびフロートスイッチ取付の構造に関するものである。
【背景技術】
【０００２】
従来、この種の天井埋め込み形空気調和機は、ドレン水を排水するためにドレンポンプが取付けられており、かつドレン水のオーバーフローを防止するためのフロートスイッチが取付られている（例えば、特許文献１参照）。
【０００３】
図６は、特許文献１に記載された従来の天井埋め込み形空気調和機の断面図を示すものである。
【０００４】
また図７は従来の天井埋め込み形空気調和機のドレンポンプおよびフロートスイッチの取付図を示すものである。
【０００５】
また図８は従来の天井埋め込み形空気調和機のドレンポンプおよびフロートスイッチの取付側面図を示すものである。
【０００６】
図６および図７および図８に示すように、天井１内に埋設された室内ユニット本体２の内部に、熱交換器３、ドレンパン４、送風機５、ファンモーター６等が配置され、ドレンパン４に溜まったドレン水を、室内ユニット本体２の外部へ排出するためのドレンポンプ７がドレンポンプ防振ゴム８を介してドレンポンプ取付板９に装着されている。
【０００７】
またドレン水のオーバーフローを防止するために、フロートスイッチ１０がフロートスイッチ取付板１１上にあるフロートスイッチ取付部１２に取付けられている。
【０００８】
ドレンポンプ７とフロートスイッチ１０の位置関係が組立てばらつき等の発生を少なくするために、フロートスイッチ取付板１１はドレンポンプ取付板９上にあるフロートスイッチ取付板取付部１３に取付られている。
【特許文献１】特開２００４−８５００１号公報
【発明の開示】
【発明が解決しようとする課題】
【０００９】
しかしながら、前記従来の構成では、ドレンポンプが振動源となって発生した振動がドレンポンプ防振ゴムだけでは吸収しきれず、ドレンポンプ取付板に伝達し、ドレンポンプ取付板からフロートスイッチ取付板へ伝達し、フロートスイッチ取付板からフロートスイッチに伝達し、フロートスイッチが振動し、フロートスイッチの誤動作や異常音等が発生するという課題を有していた。
【００１０】
本発明は、前記従来の課題を解決するもので、ドレンポンプが振動源となって発生した振動でドレンポンプ防振ゴムだけで吸収できないものを完全に吸収することができる天井埋め込み型空気調和機を提供することを目的とする。
【課題を解決するための手段】
【００１１】
前記従来の課題を解決するために、本発明の天井埋め込み型空気調和機は、室内ユニット本体内部に取付けられているドレンポンプと、ドレンポンプを取付るためのドレンポンプ取付板と、ドレン水のオーバーフローを防止するためのフロートスイッチと、フロート
スイッチを取付るためのフロートスイッチ取付板を備えた空気調和機において、前記フロートスイッチ取付板はドレンポンプ取付板に取付られており、フロートスイッチ取付板取付部より下方にドレンポンプから伝達する振動を吸収するために柔軟部を設けたものである。
【００１２】
これによって、ドレンポンプが振動源となって発生した振動でドレンポンプ防振ゴムだけでは吸収しきれないものをフロートスイッチ取付板への伝達を防止し、フロートスイッチの振動を防止し、フロートスイッチの誤動作や異常音等を防止することが可能となる。
【発明の効果】
【００１３】
本発明の天井埋め込み型空気調和機は、ドレンポンプが振動源となって発生した振動をフロートスイッチに伝達させることなく、フロートスイッチの誤動作や異常音等を防止することができる。
【発明を実施するための最良の形態】
【００１４】
第１の発明は室内ユニット本体内部に取付けられているドレンポンプと、ドレンポンプを取付るためのドレンポンプ取付板と、ドレン水のオーバーフローを防止するためのフロートスイッチと、フロートスイッチを取付るためのフロートスイッチ取付板を備えた空気調和機において、前記フロートスイッチ取付板はドレンポンプ取付板に取付られており、フロートスイッチ取付板取付部より下方にドレンポンプから伝達する振動を吸収するために柔軟部を設けることにより、ドレンポンプが振動源となり発生した振動がドレンポンプ防振ゴムでは吸収しきれない振動をフロートスイッチ取付板上で吸収し、フロートスイッチ取付板上にあるフロートスイッチ取付部への振動の伝達を抑制し、フロートスイッチの振動を防止し、フロートスイッチの誤動作や異常音等を防止することが可能となる。
【００１５】
第２の発明は、特に、第１の発明の天井埋め込み形空気調和機において、フロートスイッチ取付板は、フロートスイッチ取付板取付部より下方にくびれ形状を設けることにより、ドレンポンプが振動源となり発生した振動において、ドレンポンプ防振ゴムでは吸収しきれない振動をフロートスイッチ取付板上で吸収し、フロートスイッチ取付板上にあるフロートスイッチ取付部への振動の伝達を抑制し、フロートスイッチの振動を防止し、フロートスイッチの誤動作や異常音等を防止することが可能となる。
【００１６】
第３の発明は、特に、第１または第２の発明の天井埋め込み形空気調和機において、フロートスイッチ取付板は、フロートスイッチ取付板取付部より下方に角穴を設けることにより、ドレンポンプが振動源となり発生した振動がドレンポンプ防振ゴムでは吸収しきれない振動をフロートスイッチ取付板上で吸収し、フロートスイッチ取付板上にあるフロートスイッチ取付部への振動の伝達を抑制し、フロートスイッチの振動を防止し、フロートスイッチの誤動作や異常音等を防止することが可能となる。
【００１７】
第４の発明は、特に、第１の発明の天井埋め込み形空気調和機において、フロートスイッチ取付板のフロートスイッチ取付部は、振動抑制用の重りを設けることにより、ドレンポンプが振動源となり発生した振動がドレンポンプ防振ゴムでは吸収しきれない振動がフロートスイッチ取付板へ伝達し、フロートスイッチ取付部へ伝達した振動が重りの重量による固有振動数の変化で共振点をずらすことにより、フロートスイッチの振動を防止し、フロートスイッチの誤動作や異常音等を防止することが可能となる。
【００１８】
第５の発明は、特に、第１の発明の天井埋め込み形空気調和機において、前記フロートスイッチ取付板を取付るドレンポンプ取付板のフロートスイッチ取付板取付部に突起を設けることにより、フロートスイッチ取付板とドレンポンプ取付板の接触面積が少なくなりフロートスイッチ取付板への振動の伝達を少なくすることによって、フロートスイッチの
振動を防止し、フロートスイッチの誤動作や異常音等を防止することが可能となる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における天井埋め込み形空気調和機のドレンポンプおよびフロートスイッチの取付図を示すものである。
【００２１】
図１において、ドレンポンプ７を取付けるためのドレンポンプ取付板９にフロートスイッチ１０を取付けるためのフロートスイッチ取付板１１がフロートスイッチ取付板取付部１３に取付られており、有機的に関連してドレンポンプ取付構造を構成している。
【００２２】
以上のように構成された天井埋め込み形空気調和機について、以下その動作、作用を説明する。
【００２３】
まず、ドレンポンプ７はドレンポンプ防振ゴム８を介してドレンポンプ取付板９に取付けられており、ドレンポンプ取付板９上にあるフロートスイッチ取付板取付部１３にフロートスイッチ取付板１１が取付けられており、フロートスイッチ取付板１１上にあるフロートスイッチ取付部１２にフロートスイッチ１０が取付けられている。
【００２４】
フロートスイッチ取付板１１上でかつフロートスイッチ取付板取付部１３より下方に柔軟部１４を有している。
【００２５】
ドレンポンプ７が振動源となり発生した振動の一部がドレンポンプ防振ゴム８では吸収しきれずにドレンポンプ取付板９へ伝達される。
【００２６】
その振動がドレンポンプ取付板９上にあるフロートスイッチ取付板取付部１３に取付られているフロートスイッチ取付板１１へ伝達される。
【００２７】
フロートスイッチ取付板１１に伝達された振動はフロートスイッチ取付板１１上に形成されている柔軟部１４で吸収され、柔軟部１４より下方へは伝達せず、フロートスイッチ１０への振動の伝達を防止することができる。
【００２８】
以上のように、本実施の形態においてはフロートスイッチ取付板上に柔軟部を形成することにより、ドレンポンプが振動源となり発生した振動の一部がドレンポンプ防振ゴムでは吸収しきれずにドレンポンプ取付板へ伝達されてもフロートスイッチまで振動が伝達されることがなく、フロートスイッチの振動による誤動作や異常音等を防止することができる。
【００２９】
（実施の形態２）
図２は、本発明の第２の実施の形態の天井埋め込み形空気調和機のドレンポンプおよびフロートスイッチの取付側面図である。
【００３０】
図２において、ドレンポンプ７を取付けるためのドレンポンプ取付板９にフロートスイッチ１０を取付けるためのフロートスイッチ取付板１１がフロートスイッチ取付板取付部１３に取付られており、有機的に関連してドレンポンプ取付構造を構成している。
【００３１】
以上のように構成された天井埋め込み形空気調和機について、以下その動作、作用を説明する。
【００３２】
まず、ドレンポンプ７はドレンポンプ防振ゴム８を介してドレンポンプ取付板９に取付けられており、ドレンポンプ取付板９上にあるフロートスイッチ取付板取付部１３にフロートスイッチ取付板１１が取付けられており、フロートスイッチ取付板１１上にあるフロートスイッチ取付部１２にフロートスイッチ１０が取付けられている。
【００３３】
フロートスイッチ取付板１１上でかつフロートスイッチ取付板取付部１３より下方に加工が容易なくびれ形状部１５を有している。
【００３４】
ドレンポンプ７が振動源となり発生した振動の一部がドレンポンプ防振ゴム８では吸収しきれずにドレンポンプ取付板９へ伝達される。
【００３５】
その振動がドレンポンプ取付板９上にあるフロートスイッチ取付板取付部１３に取付られているフロートスイッチ取付板１１へ伝達される。
【００３６】
フロートスイッチ取付板１１に伝達された振動はフロートスイッチ取付板１１上に形成されているくびれ形状部１５で吸収され、くびれ形状部より下方へは伝達せず、フロートスイッチ１０への振動の伝達を防止することができる。
【００３７】
以上のように、本実施の形態においてはフロートスイッチ取付板上に加工が容易なくびれ形状部を形成することにより、ドレンポンプが振動源となり発生した振動の一部がドレンポンプ防振ゴムでは吸収しきれずにドレンポンプ取付板へ伝達されてもフロートスイッチまで振動が伝達されることがなく、フロートスイッチの振動による誤動作や異常音等を防止することができる。
【００３８】
（実施の形態３）
図３は、本発明の第３の実施の形態の天井埋め込み形空気調和機のドレンポンプおよびフロートスイッチの取付図である。
【００３９】
図３において、ドレンポンプ７を取付けるためのドレンポンプ取付板９にフロートスイッチ１０を取付けるためのフロートスイッチ取付板１１がフロートスイッチ取付板取付部１３に取付られており、有機的に関連してドレンポンプ取付構造を構成している。
【００４０】
以上のように構成された天井埋め込み形空気調和機について、以下その動作、作用を説明する。
【００４１】
まず、ドレンポンプ７はドレンポンプ防振ゴム８を介してドレンポンプ取付板９に取付けられており、ドレンポンプ取付板９上にあるフロートスイッチ取付板取付部１３にフロートスイッチ取付板１１が取付けられており、フロートスイッチ取付板１１上にあるフロートスイッチ取付部１２にフロートスイッチ１０が取付けられている。
【００４２】
フロートスイッチ取付板１１上でかつフロートスイッチ取付板取付部１３より下方に加工が容易な角穴１６を有している。
【００４３】
ドレンポンプ７が振動源となり発生した振動の一部がドレンポンプ防振ゴム８では吸収しきれずにドレンポンプ取付板９へ伝達される。
【００４４】
その振動がドレンポンプ取付板９上にあるフロートスイッチ取付板取付部１３に取付られているフロートスイッチ取付板１１へ伝達される。
【００４５】
フロートスイッチ取付板１１に伝達された振動はフロートスイッチ取付板１１上に形成されている角穴１６で吸収され、角穴１６より下方へは伝達せず、フロートスイッチ１０への振動の伝達を防止することができる。
【００４６】
以上のように、本実施の形態においてはフロートスイッチ取付板上に加工が容易な角穴を形成することにより、ドレンポンプが振動源となり発生した振動の一部がドレンポンプ防振ゴムでは吸収しきれずにドレンポンプ取付板へ伝達されてもフロートスイッチまで振動が伝達されることがなく、フロートスイッチの振動による誤動作や異常音等を防止することができる。
【００４７】
（実施の形態４）
図４は、本発明の第４の実施の形態の天井埋め込み形空気調和機のドレンポンプおよびフロートスイッチの取付図である。
【００４８】
図４において、ドレンポンプ７を取付けるためのドレンポンプ取付板９にフロートスイッチ１０を取付けるためのフロートスイッチ取付板１１がフロートスイッチ取付板取付部１３に取付られており、有機的に関連してドレンポンプ取付構造を構成している。
以上のように構成された天井埋め込み形空気調和機について、以下その動作、作用を説明する。
【００４９】
まず、ドレンポンプ７はドレンポンプ防振ゴム８を介してドレンポンプ取付板９に取付けられており、ドレンポンプ取付板９上にあるフロートスイッチ取付板取付部１３にフロートスイッチ取付板１１が取付けられており、フロートスイッチ取付板１１上にあるフロートスイッチ取付部１２にフロートスイッチ１０が取付けられている。
【００５０】
フロートスイッチ取付板１１上にあるフロートスイッチ取付部１２に重り１７を有している。
【００５１】
ドレンポンプ７が振動源となり発生した振動の一部がドレンポンプ防振ゴム８では吸収しきれずにドレンポンプ取付板９へ伝達される。
【００５２】
その振動がドレンポンプ取付板９上にあるフロートスイッチ取付板取付部１３に取付られているフロートスイッチ取付板１１へ伝達される。
【００５３】
フロートスイッチ取付板１１に伝達された振動がフロートスイッチ取付部１２へ伝達されるが、フロートスイッチ取付部１２に取付けられている重り１７により、フロートスイッチ取付板１１の固有振動数を変えることができ、フロートスイッチ取付部１２周辺の振動を抑制することができ、フロートスイッチ１０への振動の伝達を防止することができる。
【００５４】
以上のように、本実施の形態においてはフロートスイッチ取付板上のフロートスイッチ取付部に重りを形成することにより、ドレンポンプが振動源となり発生した振動の一部がドレンポンプ防振ゴムでは吸収しきれずにドレンポンプ取付板へ伝達されても、ドレンポンプ取付板の固有振動数を変えることで、フロートスイッチ取付部周辺の振動を抑制し、フロートスイッチまで振動が伝達されることがなく、フロートスイッチの振動による誤動作や異常音等を防止することができる。
【００５５】
（実施の形態５）
図５は、本発明の第５の実施の形態の天井埋め込み形空気調和機のドレンポンプおよびフロートスイッチの取付図である。
【００５６】
図５において、ドレンポンプ７を取付けるためのドレンポンプ取付板９にフロートスイッチ１０を取付けるためのフロートスイッチ取付板１１がフロートスイッチ取付板取付部１３に取付られており、有機的に関連してドレンポンプ取付構造を構成している。
【００５７】
以上のように構成された天井埋め込み形空気調和機について、以下その動作、作用を説明する。
【００５８】
まず、ドレンポンプ７はドレンポンプ防振ゴム８を介してドレンポンプ取付板９に取付けられており、ドレンポンプ取付板９上にあるフロートスイッチ取付板取付部１３にフロートスイッチ取付板１１が取付けられており、フロートスイッチ取付板１１上にあるフロートスイッチ取付部１２にフロートスイッチ１０が取付けられている。
【００５９】
フロートスイッチ取付板取付部１３上に突起１８を設けて突起１８を介してフロートスイッチ取付板１１が取付けられている。
【００６０】
ドレンポンプ７が振動源となり発生した振動の一部がドレンポンプ防振ゴム８では吸収しきれずにドレンポンプ取付板９へ伝達される。
【００６１】
その振動がドレンポンプ取付板９上にあるフロートスイッチ取付板取付部１３に取付られているフロートスイッチ取付板１１へ伝達されるが、ドレンポンプ取付板９とフロートスイッチ取付板１１との接触面積が突起１８の影響で少なくなり、フロートスイッチ取付板１１への振動の伝達が抑制でき、フロートスイッチ１０への振動の伝達を防止することができる。
【００６２】
以上のように、本実施の形態においてはドレンポンプ取付板上にあるフロートスイッチ取付板取付部に突起を設けることにより、ドレンポンプ取付板とフロートスイッチ取付板の接触面積が小さくなるため、ドレンポンプが振動源となり発生した振動の一部がドレンポンプ防振ゴムでは吸収しきれずにドレンポンプ取付板へ伝達されても、ドレンポンプ取付板への振動の伝達を抑制し、フロートスイッチまで振動が伝達されることがなく、フロートスイッチの振動による誤動作や異常音等を防止することができる。
【産業上の利用可能性】
【００６３】
以上のように、本発明にかかる天井埋め込み形空気調和機は、ある振動源から発生される振動を、取付構造で振動の伝達を抑制することができるので、天井埋め込み形空気調和機のみならず振動源を有するあらゆる機器にも適応できる。
【図面の簡単な説明】
【００６４】
【図１】本発明の実施の形態１における天井埋め込み形空気調和機のドレンポンプおよびフロートスイッチの取付図
【図２】本発明の実施の形態２における天井埋め込み形空気調和機のドレンポンプおよびフロートスイッチの取付側面図
【図３】本発明の実施の形態３における天井埋め込み形空気調和機のドレンポンプおよびフロートスイッチの取付図
【図４】本発明の実施の形態４における天井埋め込み形空気調和機のドレンポンプおよびフロートスイッチの取付図
【図５】本発明の実施の形態５における天井埋め込み形空気調和機のドレンポンプおよびフロートスイッチの取付図
【図６】従来の天井埋め込み形空気調和機の断面図
【図７】従来の天井埋め込み形空気調和機のドレンポンプおよびフロートスイッチの取付図
【図８】従来の天井埋め込み形空気調和機のドレンポンプおよびフロートスイッチの取付側面図
【符号の説明】
【００６５】
１  天井
２  室内ユニット本体
３  熱交換器
４  ドレンパン
５  送風機
６  ファンモータ
７  ドレンポンプ
８  ドレンポンプ防振ゴム
９  ドレンポンプ取付板
１０  フロートスイッチ
１１  フロートスイッチ取付板
１２  フロートスイッチ取付部
１３  フロートスイッチ取付板取付部
１４  柔軟部
１５  くびれ形状部
１６  角穴
１７  重り
１８  突起
【図１】
2006200808.tif 000003
【図２】
2006200808.tif 000004
【図３】
2006200808.tif 000005
【図４】
2006200808.tif 000006
【図５】
2006200808.tif 000007
【図６】
2006200808.tif 000008
【図７】
2006200808.tif 000009
【図８】
2006200808.tif 000010